(57)【要約】【課題】省エネ効果があり、更にユーザが確実に自分の求める画像状態を得られるような画像形成システムを提供すること。【解決手段】記録材上にトナー画像を形成する画像形成手段と、前記トナー画像を定着する複数の定着手段と、定着後の画像の状態を検知する画像状態検知手段と、前記画像状態検知手段による画像状態検知結果が所望の画像状態かどうかを判断する画像状態判断手段と、前記複数の定着手段の定着条件を変更する制御手段と、画像形成した際のジョブの設定内容と、使用した前記複数の定着器の個数と、前記画像状態判断結果とを関連付けて記録する学習部と、を備えた画像形成システムにおいて、ジョブを設定した際、前記複数の定着手段のうち、幾つ使用すれば適切な画像状態が得られるかを前記学習部から読み出して定着手段の使用個数を決定するように前記制御手段が制御する。【選択図】図１
2006153934.tif 000002
【特許請求の範囲】
【請求項１】
記録材上にトナー画像を形成する画像形成手段と、前記トナー画像を定着する複数の定着手段と、定着後の画像の状態を検知する画像状態検知手段と、
前記画像状態検知手段による画像状態検知結果が所望の画像状態かどうかを判断する画像状態判断手段と、前記複数の定着手段の定着条件を変更する制御手段と、画像形成した際のジョブの設定内容と、使用した前記複数の定着器の個数と、前記画像状態判断結果とを関連付けて記録する学習部と、を備えた画像形成システムにおいて、 
ジョブを設定した際、前記複数の定着手段のうち、幾つ使用すれば適切な画像状態が得られるかを前記学習部から読み出して定着手段の使用個数を決定するように前記制御手段が制御することを特徴とする画像形成システム。
【請求項２】
前記ジョブの設定内容が画像データを含むことを特徴とする請求項１記載の画像形成システム。
【請求項３】
ユーザが所望する出力画像の画像状態を設定する画像状態設定手段を備え、 前記ジョブの設定内容が、ユーザが設定した画像状態を含むことを特徴とする請求項１又は２記載の画像形成システム。
【請求項４】
用紙の性質を記録しておく用紙状態記録手段を備え、前記ジョブの設定内容が用紙状態を含むことを特徴とする請求項１〜３の何れかに記載の画像形成システム。
【請求項５】
２つ目以降の定着手段を通らない記録材搬送パスを備え、 前記複数の定着手段のうち、使用しない定着手段があっても所望の画像状態が得られると判断した場合は、 使用しない定着手段を通らない記録材搬送パスを通じて記録材を排出するように、前記制御手段が制御することを特徴とする請求項１〜４の何れかに記載の画像形成システム。
【請求項６】
前記複数の定着手段の定着ローラ対が離間することを特徴とし、前記複数の定着手段のうち、使用しない定着手段があっても所望の画像状態が得られると判断した場合は、
使用しない定着手段の定着ローラ対を離間するように、前記制御手段が制御することを特徴とする請求項１〜４の何れかに記載の画像形成システム。
【請求項７】
前記複数の定着手段のうち、使用しない定着手段があっても所望の画像状態が得られると判断した場合は、
使用しない定着手段の温度を下げ、若しくは使用しない定着手段の動作を停止することを特徴とする請求項１〜６の何れかに記載の画像形成システム。
【請求項８】
ジョブの内容の学習と、内容の呼び出しを行うモードと、 行わないモードを選択することができることを特徴とする請求項１〜７の何れかに記載の画像形成システム。
【請求項９】
警告等を表示する表示部を備え、 複数の定着装置全てを使用しても所望の画像状態が得られないと判断した場合は、用紙を変えるよう表示部にて指示することを特徴とする請求項１〜８の何れかに記載の画像形成システム。
【請求項１０】
前記画像状態が光沢度であることを特徴とする請求項１〜９の何れかに記載の画像形成システム。
【請求項１１】
前記画像状態が紙のカールであることを特徴とする請求項１〜９の何れかに記載の画像形成システム。
【請求項１２】
前記画像状態が画像濃度であることを特徴とする請求項１〜９の何れかに記載の画像形成システム。
【請求項１３】
前記画像状態が画像の色味であることを特徴とする請求項１〜９の何れかに記載の画像形成システム。
【請求項１４】
前記画像状態が画像定着性であることを特徴とする請求項１〜９の何れかに記載の画像形成システム。
【発明の詳細な説明】
【技術分野】
【０００１】
本発明は、電子写真方式の画像形成装置とそれに用いられる定着装置を用いた画像形成システムに関するものである。
【背景技術】
【０００２】
印刷機、複写機、プリンタ等の画像形成装置においては、より高画質な画像出力を求められるようになってきている。高画質の指針の１つとして、印刷された画像の光沢度があり、特に、写真やイラストのような画像の場合、
光沢度が高い画像が好まれる傾向がある。
【０００３】
画像光沢を決めるのは、未定着トナー像を用紙やＯＨＰフィルム等のシートに定着させるための定着装置における、
定着時間や定着温度、即ち定着時にシートに加える熱量である。定着時にシートに加えられる熱量によってトナーの溶融状態やシートに対する浸透率が変化し、
これにより画像光沢が変化する。通常、加えられた熱量が多くなるほど、画像光沢が高くなる。
【０００４】
ユーザの望む光沢度を実現するため、 定着器を複数備えた画像形成装置が提案されている。特許文献１，２では、複数の定着装置を備えており、 ユーザの選択した用紙種類や素材、画像が白黒なのかカラーなのか、 更にユーザの設定した光沢モード等の各条件によって、幾つかの定着装置を通すのか決めている。
【０００５】
【特許文献１】特開２００３−１６７４５９号公報
【特許文献２】特開２０００−２２１８２１号公報
【発明の開示】
【発明が解決しようとする課題】
【０００６】
しかし、用紙自身の光沢度とユーザが所望する光沢度は一致しない場合も多い。前述の特許文献２では、
（１）ユーザが光沢度を設定する場合
（２）シートの素材によって自動決定する場合
の２種類の実施系が示されている。
【０００７】
（１）の場合、 たとえ設定した光沢モードが高光沢であっても、用紙自身の光沢度が低い場合は、出力される画像はあくまでその用紙を用いた場合の高光沢でしかないので、実際に欲しかった出力とは違うものである。（２）の場合、用紙の素材や坪量によって一義的に光沢度が決まってしまうため、やはりユーザの実際欲しかった出力とは違ってしまう場合がある。
【０００８】
そのまま多部数の印刷を開始してしまった場合、 所望の画像でない成果物が大量にできてしまい、 結果として無駄な印刷となってしまう。これはコスト面でも効率が悪い。
【０００９】
更に、画像形成装置が設置された環境や経年変化により、画像の状態が変化してしまうことは通常良く起こり得る。そのような場合、装置に設定されているモードで画像を出力しても望む出力が得られないことになる。多くの複写機は、サービスモード等で調整を行うことで出力画質を調整できるようになっているが、
サービスマンに依頼する等しなければならず繁雑である。しかも、変化がゆっくりと起きている場合、 変化していること自体に気づかず、 大幅に変わってから始めて気づき、 即時の修正が不可能な場合もある。
【００１０】
最終的な画像の光沢度は、用紙の種類、 素材、 画像が白黒なのかカラーなのか、そして、定着時に加えられた熱量、経年変化した部品状態、
装置の置かれる環境等といった要因によって複合的に決定されるものである。
【００１１】
又、定着装置が複数の場合、 定着装置が１つしかない場合よりも電力をその分多く消費する。しかし、前記発明では複数の定着装置のうちの幾つかを使用しない場合においても、全ての定着装置に通電しているため、消費電力が常に大きくなってしまう。
【００１２】
又、テスト画像を出力し、その光沢度を検知してフィードバックを掛ける特開２００３−１４０４１５号公報に記載された発明もあるが、
テスト画像とユーザが出力したい画像が違う場合、 最終的な出力のイメージが掴めず、結果として所望する光沢度が得られるとは限らない。
【００１３】
又、この発明は構成として定着装置が複数ある場合を想定していない。定着装置が複数ある場合、
幾つかの定着装置に通電するのかで消費電力が大きく変わってくるため、 ユーザの望む画像状態が得られるのであれば、なるべく少ない定着装置のみに通電するような仕組みを採ることが望ましい。
【００１４】
上に述べたようなことをユーザが手入力にて設定する場合、ジョブ開始前の設定項目が増えることになるので、入力ミスや入力忘れが起きてしまう可能性が高くなる。
【００１５】
本発明は、以上のような問題を解決し、 省エネ効果があり、更にユーザが確実に自分の求める画像状態を得られるような画像形成システムを提供することを目的とする。
【課題を解決するための手段】
【００１６】
上記目的を達成するため、本発明は、記録材上にトナー画像を形成する画像形成手段と、前記トナー画像を定着する複数の定着手段と、定着後の画像の状態を検知する画像状態検知手段と、
前記画像状態検知手段による画像状態検知結果が所望の画像状態かどうかを判断する画像状態判断手段と、前記複数の定着手段の定着条件を変更する制御手段と、画像形成した際のジョブの設定内容と、使用した前記複数の定着器の個数と、前記画像状態判断結果とを関連付けて記録する学習部と、を備えた画像形成システムにおいて、ジョブを設定した際、前記複数の定着手段のうち、幾つ使用すれば適切な画像状態が得られるかを前記学習部から読み出して定着手段の使用個数を決定するように前記制御手段が制御することを特徴とする。
【発明の効果】
【００１７】
本発明によれば、ジョブを設定した際、複数の定着手段のうち、幾つ使用すれば適切な画像状態が得られるかを学習部から読み出して定着手段の使用個数を決定するようにしたため、省エネ効果が得られるとともに、ユーザが確実に自分の求める画像状態を得ることができる。
【発明を実施するための最良の形態】
【００１８】
以下に本発明の実施の形態を添付図面に基づいて具体的に説明する。
【００１９】
図１はこの発明が適用された画像形成装置の内部構成図である。尚、図１に示す画像形成装置は、現像器が１つの白黒画像処理装置であるが、現像器が複数あるカラー用画像形成装置であっても良い。
【００２０】
この画像処理装置は、被加熱材に原稿画像を載せ出力する装置である本体画像出力部１０と、原稿から画像データを読み取る装置である本体画像入力部１１と、本体画像入力部１１の上部に装着された自動原稿送り装置（以下：フィーダ）１２と、本体画像出力部１０から排出される被加熱材を複数のビンに仕分けして排出するためのソータ１３とを備えている。
【００２１】
この画像形成装置は、ディジタル複写機であり、原稿から画像データを読み取る装置である本体画像入力部１１のＣＣＤにより画素化され画像データとして装置に読み込まれ、必要な画像処理が行われた後、画像メモリに蓄えられる。その画像データを本体画像出力部１０に転送し、画像再生して被加熱材にコピーされる。
【００２２】
本体画像入力部１１は、入力部の上面の原稿台に積載された原稿を照射しながら走査する光源２１を備える。光源２１は、不図示の光学系モータから駆動力を得て、図１の左右方向に往復駆動する。光源２１から発生した光は、積載された原稿により反射され、光学像が得られる。その光学像がミラー２２，２３，２４及びレンズ２５を介してＣＣＤ２６に伝送される。又、ミラー２２，２３，２４は、光源２１と一体的に駆動される。ＣＣＤ２６は、光を電気信号に変換する素子により構成されており、この素子の働きにより伝送されてきた光学像が電気信号に変換され、更にディジタル信号（画像データ）に変換される。
【００２３】
読み込まれた原稿の画像データは、種々の補正処理とユーザの希望する処理による画像処理が加えられ、画像メモリ（不図示）に蓄積される。
【００２４】
本体画像出力部１０は、画像メモリに蓄積された画像データを読み出し、ディジタル信号からアナログ信号に再変換し、更に露光制御部（不図示）により適正な出力値に増幅され、光学照射部２７により光信号に変換される。その光信号は、スキャナー２８、レンズ２９及びミラー３０を伝播して、感光ドラム３１上に照射され、静電による潜像が形成される。この潜像は、トナーにより画像を形成し、本体内を搬送されてくる被加熱材上に転写され、更に定着ローラ３２ａにより被加熱材上にトナーが定着される。
【００２５】
ここで、ジョブ（画像データ／マテリアル／設定）により、定着フラッパ５０を駆動して定着ローラ３２ｂを通過する定着搬送経路５１ａ、若しくは定着ローラ３２ｂを通過しない定着経路５１ｂに選択的に被加熱材を搬送する。定着搬送経路５１ａに搬送された被加熱材は、既に定着ローラ３２ａを通過してトナーが定着している状態になっているので、定着ローラ３２ｂを通過することにより、被加熱材のマテリアルや画像データに関わらず、安定した定着性や所望の光沢性の確保を実現することができる。定着ローラ３２ａ，３２ｂを通過した被加熱材は、ソータ１３に送られる。
【００２６】
ソータ１３は、本体画像出力部１０の左側に設置されている装置であり、本体画像出力部１０から出力された被加熱材を排紙トレイ３３に仕分けして排紙する処理を行う。排紙トレイは、上記本体制御部（不図示）により制御され、出力された被加熱材紙は制御部の指示した任意の排紙トレイに排出される。
【００２７】
給紙トレイ３４，３５は、本体下部にあり、被加熱材を或る程度蓄積しておくことが可能である。制御部により給紙トレイ３４，３５から蓄積された被加熱材を搬送し、画像出力を行う。給紙デッキ３６は、本体画像出力部１０の左側に設置されている装置で、被加熱材を大量に蓄積しておくことが可能である。給紙トレイ３４，３５と同様に制御部により蓄積された被加熱材を搬送し画像出力を行う。
【００２８】
本体画像出力部１０の左側に、操作者が少数の任意種類の被加熱材を比較的容易に給紙することが可能となる手差しトレイ３７が設置されている。又、この手差しトレイは、ＯＨＰシートや厚紙、はがきサイズ紙等の特殊な被加熱材を使用する場合にも使用される。
【００２９】
給紙ローラ３８，３９，４０，４１，４２は、紙搬送ローラであり、各ローラは、コピー出力処理の給紙を行う際、被加熱材を実際に搬送する役割を担っている。各給紙ローラは、それぞれ独立に駆動源としてステッピングモータに歯車等の伝達装置を介して接続されている。
【００３０】
ＤＣブラシレスモータで制御される、潜像が形成するための感光ドラム３１と、記録被加熱材上にトナーを定着し、画像データを記録するための定着ローラ３２ａ，３２ｂの回転速度はプロセススピードと呼ばれ、トナーの形状や定着特性、レーザの発光特性等に大きく左右される。
【００３１】
定着ローラ３２ａ，３２ｂは、各々定着ヒータ２１３，２１４で加熱され、その表面温度をサーミスタ２０２，２０４で検知することにより、定着ローラ３２ａ，３２ｂの表面温度が各々所定値になるように制御されている。
【００３２】
図２は本発明の画像形成装置の制御系の一例を示すブロック図である。
【００３３】
図２において、２００は制御部（コントローラ）で、ＣＰＵ２００ａ、ＲＯＭ２００ｂ、ＲＡＭ２００ｃ等から構成され、ＲＯＭ２００ｂに格納されたプログラムに基づいて複写シーケンスを総括制御する。ＲＯＭ２００ｂは、書換え可能な不揮発性のメモリで構成され、後述する学習データはここに記録され、
必要に応じて書き換えられる。
【００３４】
操作部２１９は、複写モード設定キー、複写枚数設定キー、複写動作開始キー、複写動作停止キー、動作モードを標準状態に復帰させるリセットキー等のキー入力部及び動作モードの設定状態等を表示するＬＥＤ、液晶等の表示部が配置されている。
【００３５】
サーミスタ２０２は、定着ローラ３２ａの表面温度を検知し、Ａ／Ｄ変換器２０１でＡ／Ｄ変換された値がコントローラ２００に入力される。コントローラ２００は、サーミスタ２０２の検知値により、定着装置３２ａの表面温度が所定値になるように制御している。同様に、サーミスタ２０４は、定着ローラ３２ｂの表面温度を検知し、Ａ／Ｄ変換器２０３でＡ／Ｄ変換された値がコントローラ２００に入力される。コントローラ２００は、サーミスタ２０２の検知値により、定着ローラ３２ｂの表面温度が所定値になるように制御している。
【００３６】
高圧部２０５は、不図の一次帯電器、転写帯電器等の帯電系及び現像装置等に所定の電位を印加する高圧ユニット２０６の制御を行う。
【００３７】
モータ制御部２０７は、各種ステッピングモータ等のモータ２０８の駆動を制御する。
【００３８】
ＤＣ負荷制御部２０９は、定着フラッパ５０のソレノイド、感光ドラム３１や定着ローラ３２ａ，３２ｂ及びファン等の駆動を制御する。
【００３９】
２１０は記録紙の紙詰まり検知用等のセンサ類で、制御部２００に入力される。
【００４０】
ＡＣドライバ２１１は、光源２１等のＡＣ負荷２１２及び定着ヒータ２１３，２１４へのＡＣ電源供給を制御する。又、光源２１、定着ヒータ等の異常を検知し、シャットオフ機能付きのメインスイッチ２１６をオフ状態にする。
【００４１】
ＤＣ電源２１５は、コントローラ等にＤＣ電源を供給し、電源プラグ２１８から入力されたＡＣ電源はドアスイッチ２１７、メインスイッチ２１６を介してＤＣ電源２１５に入力される。
【００４２】
給紙デッキ２２０は、転写紙の積載枚数を増やすための給紙装置で、オプションとして接続される。
【００４３】
エディタ２２１は、トリミング、マスキング処理等の位置情報を入力するためのもので、オプションで接続される。
【００４４】
フィーダ２２２は、複数枚の原稿を自動的にセットするためのもので、オプションで接続される。
【００４５】
ソータ２２３は、排出される記録紙を仕分けするためのもので、オプションで接続される。
【００４６】
図６は画像データをその特性において分類した例である。
【００４７】
先ず、白黒かカラーか、文字が多いのか画像が多いのか、 そして画像の場合はその明度が高いか低いかで合計６種類に分類している。通常、（１）から（６）に行くに従って画像密度が高く、トナーの載り量も多いため、定着するためには大きな熱量を必要とする。尚、勿論これは一例であるので、
最低２種類以上であれば分類数がこれ以上でも以下でも構わない。図７では例として定着装置を２つ持ち、光沢度設定が高／低の２種類に設定できる装置の場合の定着装置の仕様個数一覧である。前述の６種類の画像パターンごと、更に各種の用紙ごと、光沢度の高／低に応じ、定着装置を幾つ使用するかの設定がされている。
【００４８】
最初はこのデータがデフォルト値に設定されている。その後、この学習の仕組みを使用する場合（学習モードという）、学習モードをＯＮして画像形成を行うが、
その際に制御部はユーザが使用した画像データ、用紙の種類、 光沢度を基に、学習部に記録されている図７の表のようなデータから、使用すべき定着装置の個数を読み出す。
【００４９】
更に、画像形成装置の設置された環境や、経年変化等により、先ほどの設定状態では求める画像状態が得られなくなっていく場合もある。そのため、画像形成後に画像状態検知センサ５２により、画像状態、例えば光沢度を検知し、
設定通りの光沢度が出ているかどうかを毎回チェックする。そして、デフォルトの設定では１つの定着装置となっているが、 画像状態検知により設定光沢度が出なくなった場合等は、 学習部における設定表の必要定着装置個数を、１つから２つへと書き換え、以後の出力は定着装置２つを用いて出力を行うようにする。
【００５０】
今回は例として定着装置を２つ持ち、光沢度設定が高／低の２種類に設定できる装置の場合を示したが、
勿論、定着装置の個数がそれ以上でも良いし、 光沢度の設定がそれ以上の段階で設定可能でも良い。
【００５１】
次に、本発明の実施の形態における画像形成装置の制御をフローチャートで示す。
【００５２】
（図３：装置の立ち上げ時間を短縮する形態）
以下の実施の形態は、 基本的にヒータ２１３，２１４共に通電しているので、高光沢を選択した場合でも装置の立ち上げ時間を待つ必要がない。
【００５３】
本体のメインスイッチがＯＮされると（Ｓ３０１）、コントローラ２００は、ＡＣドライバ２１１を介して定着ローラ３２ａ内部の定着ヒータ２１３及び定着ローラ３２ｂ内部の定着ヒータ２１４に電力を供給開始する（Ｓ３０２）。このとき、ＣＰＵ２００ａは、定着ローラ２１３，２１４に付いているサーミスタ２０２，２０４の値をＡ／Ｄ変換器２０１でＡ／Ｄ変換し、その値をモニターして位相制御等の制御を行い、ヒータ２１３，２１４の温度が或る一定の所定値になるように制御する。その後、定着フラッパ５０を搬送路５１ｂの方へ切り換える（Ｓ３０３）。
【００５４】
学習モードの説明を行う。この設定をＯＮにしておくと、以下に述べるフローにより、設定内容に適切な定着装置の個数を学習部より呼び出したり、
又、今回の画像形成のデータを学習部にフィードバックしたりする。そういったことを煩雑と思うユーザは、この設定をＯＦＦにしておく。この設定は画像形成動作（Ｓ３０６）より前ならばどのタイミングで行っても良い。尚、デフォルトの設定は学習モードが動作するようになっている。
【００５５】
学習モードがＯＮの場合について説明する。
【００５６】
先ず、コピージョブ若しくはプリントジョブの設定を行う。ここで設定するのは画像形成するシートのサイズや、
部数、後処理の有無、そして出力する画像の光沢度等である（Ｓ３０５）。ジョブに必要な情報を入力し終えた後に画像形成の開始命令を出す（Ｓ３０６）。すると、画像形成装置は前述の仕組みにより画像を読み取る。又、ＰＣからのプリントアウトの場合は画像データを受信開始する。制御部２００は、その画像データを前述の分類ごとに分類する（Ｓ３０７）。尚、この際の分類は、例えばジョブ全体のページの平均で算出される。例えばカラー画像が１枚あっても、他の２０ページが白黒の文字中心であったならば、このジョブの分類は「白黒の文字中心」となる。逆に、１枚でも画像があれば、
それに合わせて画像濃度を設定するようにしても良い。
【００５７】
分類の結果、そこに設定されている設定内容での画像形成が不可能な場合は（Ｓ３０３）、操作部２１９にある表示部へ「用紙を（○○等に）変えてください」といったメッセージを表示し（Ｓ３０９）、画像形成動作を中断する。
【００５８】
Ｓ３０８で画像形成が可能な場合、設定された光沢度を出力するために定着ローラ３２ｂを使用する必要がない場合は（Ｓ３１０）、搬送路を５１ｂに切り替え、
ヒータ２１４の通電をＯＦＦする（Ｓ３１１，Ｓ３１２）。ここで、画像形成装置によってはユーザが更なる設定をすることで定着温度や搬送速度、定着圧等の定着条件を変更できる場合がある。このような画像形成装置の場合はユーザにそれらの定着条件を、適切な光沢度が出るように変更するよう促す（Ｓ３１３）。
【００５９】
画像形成装置の定着ヒータ２１３（モードによっては２１４も）が十分に昇温し、準備が完了した後に（Ｓ３１４）、ユーザが設定した部数の画像形成処理を行い（Ｓ３１５）、出力した画像の光沢度を検知する (Ｓ３１６) 。設定した光沢度が出力されていない場合は、学習部のデータを、 検知した結果に合わせて変更する（Ｓ３１８）。その後、ヒーター２１４を再度通電開始したり、定着条件をデフォルトに戻したりしてから（Ｓ３１９）画像形成動作を終了する。
【００６０】
ユーザによっては、学習の設定が煩雑だと感じたりする場合がある。その場合、Ｓ３０４で学習モードをＯＦＦしておく。特に、光沢度を気にしない場合、ここで何も設定しなければ光沢度はデフォルトで低光沢となる。ここから画像形成開始を指示すると（Ｓ３２１）、Ｓ３２０で設定した光沢度を見に行き（Ｓ３２２）、高光沢の場合、搬送路を５１ａへと切替えて（Ｓ３２３）、Ｓ３２５へと進む。低光沢の場合、制御部２００は、ヒータ２１４への通電をＯＦＦする（Ｓ３２４）。画像形成装置によってはユーザが更なる設定をすることで定着温度や搬送速度、定着圧等の定着条件を変更できる場合がある。このような画像形成装置の場合はそれらの定着条件を、Ｓ３２０で決定した光沢度が出るように変更し（Ｓ３２５）、その後、制御部２００は、画像形成装置の準備が完了した後に（Ｓ３１４）、画像形成を行う（Ｓ３１５）。以下は上の説明と同じである。
【００６１】
この場合でも特にユーザが設定しなければ低光沢のものが出力されるようになっており、省エネ効果がある。
【００６２】
（図４：省エネ形態）
基本的にヒータ２１４に通電しないようにすると、前述の形態より更に大きな省エネ効果がある。この形態を図４を用いて説明する。
【００６３】
ほぼ、前述の図３を用いた形態と同じであるが、 違っているところは最初から通電しているのはヒータ２１３のみであるということ（Ｓ４０２）、Ｓ４１０で「定着ローラ３２ｂが必要である」と判断された場合である。搬送路を５１ａに変更した後（Ｓ４１１）、ヒータ２１４に通電を開始する（Ｓ４１２）。Ｓ４２５で「高光沢」を選択された場合も同じように搬送路を５１ａに変更した後（Ｓ４２３）、ヒータ２１４に通電を開始する（Ｓ４２４）。そして、ジョブが終了すると、ヒータ２１４を通電している場合は通電を切り、
搬送路が５１ａの場合は５１ｂに切り替える（Ｓ４１９）。このように定着ローラ３２ｂを使用する場合、通電していない状態から立ち上げるため、
画像形成開始までに時間が掛かるが、大きな省エネ効果が期待できる。
【００６４】
（装置の立ち上げ時間短縮と省エネを両立する形態）
前記２つの実施の形態について、図３及び図４のフローチャートを用いて説明したが、 この２つの間を取る形態として、 待機時の定着ヒータ２１４を、定着温度より低い温度に昇温するように通電する形態を採っても良い。又、定着ローラ３２ｂは、シートに対してそれほど大きな熱容量を加える必要がないため、肉薄の金属ローラ等の低熱容量ローラを用いることで、
更に装置の立ち上げ時間短縮と、省エネを両立させて実現することができる。尚、詳細な説明は省略する。
【００６５】
以上説明してきた実施形態は、定着フラッパ５０にて搬送パスを切り替えることで、定着ローラを１つ使用するか２つ使用するかの切替を行ったが、
搬送パスを１つとし、２つ目の定着ローラが離間することで前記の切替を行っても良い。その場合、 定着フラッパ５０と搬送パス５１ｂが無くなり、定着ローラ３２ｂに、ローラの挟持／解除を切り替えることができる切替手段（図示せず）を新たに加える。この切替手段は制御部２００によって制御される。
【００６６】
本発明は、ユーザが出力した画像の画像状態を判断し、 定着装置の切替を行い、シートに加える熱量を変化させることで画像状態を適切な状態に調節する発明である。上で説明した実施形態は出力画像の光沢度について述べているが、シートに加える熱量が大きければ、出力画像の色味や濃度も変化するので、特に光沢度に限定する必要はない。
【００６７】
又、本実施の形態では、定着装置が２つの場合を想定して説明してきたが、 定着装置が３つ以上でも良い。
【図面の簡単な説明】
【００６８】
【図１】本発明が適用された画像形成装置の概略構成を示す図である。
【図２】本発明におけ制御部のブロック図である。
【図３】ジョブ間の装置の立ち上がり時間短縮を重視した画像形成のフローチャートである。
【図４】省エネを重視した画像形成のフローチャートである。
【図５】学習部にて画像データを分類する際の分類表の例である。
【図６】学習部での画像分類に対応する光沢度の設定テーブルを示した表の例である。
【符号の説明】
【００６９】
１０      本体画像出力部
１１      本体画像入力部
１２      自動原稿紙送り装置
１３      ソータ
２１      光源
２２〜２４    ミラー
２５      レンズ
２６      ＣＣＤ
２７      光学照射部
２８      スキャナー
２９      レンズ
３０      ミラー
３１      感光ドラム
３２ａ，３２ｂ  定着ローラ
３３      排紙トレイ
３４，３５    給紙トレイ
３６      給紙デッキ
３７      手差しトレイ
３８〜４２    給紙ローラ
５０      定着フラッパ
５１ａ，５１ｂ  定着搬送経路
５２      光沢度検知センサ
２００      制御部
２００ａ    ＣＰＵ
２００ｂ    ＲＯＭ
２００ｃ    ＲＡＭ
２０２，２０４  サーミスタ
２０５      高圧部
２０６      高圧ユニット
２０７      モータ制御部
２０８      各種ステッピングモータ
２０９      ＤＣ負荷制御部
２１０      センサ類
２１１      ＡＣドライバ
２１２      ＡＣ負荷
２１３，２１４  定着ヒータ
２１５      ＤＣ電源
２１６      メインスイッチ
２１７      ドアスイッチ
２１８      電源プラグ
２１９      操作部
２２０      給紙デッキ
２２１      エディタ
２２２      フィーダ
２２３      ソータ
【図１】
2006153934.tif 000003
【図２】
2006153934.tif 000004
【図３】
2006153934.tif 000005
【図４】
2006153934.tif 000006
【図５】
2006153934.tif 000007
【図６】
2006153934.tif 000008